(57)【要約】【目的】本発明は、直線形の波形光を有するＬＥＤを、拡散波形光に変える事を目的とする。【解決手段】本発明は、同一色光の波長領域の異なる最大ピーク波長の光を利用し、ＬＥＤの拡散波形を作る方法。【特許請求の範囲】
【請求項１】
同一色光を発現せしめるＬＥＤ波長範囲内に於いて、異なる最大ピーク波長を有する複数の同一色光ＬＥＤを、割合を変え設置、設定した、当該ＬＥＤ光の拡散波形の制御装置。
【請求項２】
緑色光を発現せしめる波長範囲内に於いて、異なる最大ピーク波長を有する複数の単色緑色光ＬＥＤを、割合を変え設置、設定した、当該緑色ＬＥＤ光の拡散波形の制御装置。
【請求項３】
赤色光を発現せしめるＬＥＤ波長範囲内に於いて、異なる最大ピーク波長を有する複数の単色赤色光ＬＥＤを、割合を変え設置、設定した、当該赤色ＬＥＤ光の拡散波形の制御装置。
【請求項４】
青色光を発現せしめるＬＥＤ波長範囲内に於いて、異なる最大ピーク波長を有する複数の単色青色光ＬＥＤを、割合を変え設置、設定した、当該青色ＬＥＤ光の拡散波形の制御装置。
【請求項５】
緑色光を発現せしめるＬＥＤ波長範囲内に於いて、異なる最大ピーク波長を有する複数の単色緑色光ＬＥＤを、割合を変え設置、設定した、当該緑色ＬＥＤに、黄色光ＬＥＤを設置、設定した、拡散波形の制御装置。
【請求項６】
緑色光を発現せしめるＬＥＤ波長範囲内に於いて、異なる最大ピーク波長を有する複数の単色緑色光ＬＥＤを、割合を変え設置、設定した、当該緑色ＬＥＤに、赤色光ＬＥＤを設置、設定した、拡散波形の制御装置。
【請求項７】
青色光を発現せしめるＬＥＤ波長範囲内に於いて、異なる最大ピーク波長を有する複数の単色青色光ＬＥＤを、割合を変え設置、設定した、当該青色ＬＥＤに、黄色光ＬＥＤを設置、設定した、拡散波形の制御装置。
【請求項８】
青色光を発現せしめるＬＥＤ波長範囲内に於いて、異なる最大ピーク波長を有する複数の単色青色光ＬＥＤを、割合を変え設置、設定した、当該青色ＬＥＤに、赤色光ＬＥＤを設置、設定した、拡散波形の制御装置。
【請求項９】
緑色光ＬＥＤと黄色光ＬＥＤの複合拡散波形を有する「請求項５」記載の当該装置に於いて、当該ＬＥＤ緑色光の総量に対し、５％の黄色光を保持するＬＥＤを置き並べ設置、配置した、ＬＥＤの拡散波形制御装置。
【請求項１０】
緑色光ＬＥＤと黄色光ＬＥＤの複合拡散波形を有する「請求項５」記載の当該装置に於いて、当該ＬＥＤ緑色光の総量に対し、５％を越え１０％以下の黄色光を保持するＬＥＤを置き並べ設置、配置した、ＬＥＤの拡散波形制御装置。
【請求項１１】
緑色光ＬＥＤと赤色光ＬＥＤの複合拡散波形を有する「請求項６」記載の当該装置に於いて、当該ＬＥＤ緑色光の総量に対し、５％の赤色光を保持するＬＥＤを置き並べ設置、配置した、ＬＥＤの拡散波形制御装置。
【請求項１２】
緑色光ＬＥＤと赤色光ＬＥＤの複合拡散波形を有する「請求項６」記載の当該装置に於いて、当該ＬＥＤ緑色光の総量に対し、５％を越え１０％以下の赤色光を保持するＬＥＤを置き並べ設置、配置した、ＬＥＤの拡散波形制御装置。
【請求項１３】
青色光ＬＥＤと黄色光ＬＥＤの複合拡散波形を有する「請求項７」記載の当該装置に於いて、当該ＬＥＤ青色光の総量に対し、５％の黄色光を保持するＬＥＤを置き並べ設置、配置した、ＬＥＤの拡散波形制御装置。
【請求項１４】
青色光ＬＥＤと黄色光ＬＥＤの複合拡散波形を有する「請求項７」記載の当該装置に於いて、当該ＬＥＤ緑色光の総量に対し、５％を越え１０％以下の黄色光を保持するＬＥＤを置き並べ設置、配置した、ＬＥＤの拡散波形制御装置。
【請求項１５】
青色光ＬＥＤと赤色光ＬＥＤの複合拡散波形を有する「請求項８」記載の当該装置に於いて、当該ＬＥＤ青色光の総量に対し、５％の赤色光を保持するＬＥＤを置き並べ設置、配置した、ＬＥＤの拡散波形制御装置。
【請求項１６】
青色光ＬＥＤと赤色光ＬＥＤの複合拡散波形を有する「請求項８」記載の当該装置に於いて、当該ＬＥＤ青色光の総量に対し、５％を越え１０％以下の赤色光を保持するＬＥＤを置き並べ設置、配置した、ＬＥＤの拡散波形制御装置。
【請求項１７】
「請求項５」、「請求項７」、記載の黄色光を有するＬＥＤに於いて、調光を可能にした黄色光を有するＬＥＤを置き並べ設置、配置した当該ＬＥＤの拡散波形制御装置。
【請求項１８】
「請求項６」、「請求項８」、記載の赤色光を有するＬＥＤに於いて、調光を可能にした、赤色光を有するＬＥＤを置き並べ設置、配置した当該ＬＥＤの拡散波形制御装置。
【発明の詳細な説明】
【技術分野】
【０００１】本発明は、単色光のＬＥＤの光線は、直線型の光である為に拡散する光である蛍光灯の光と比べると光の拡散という点にての照射の範囲効果にて考察すると単独光のＬＥＤが直線型の光である為に蛍光灯の光の拡散の度合という比較の点からは、劣っている。
それ故に、ＬＥＤの光線の波長領域に広がりを持たせ、通常のＬＥＤにては、不足している、波長領域を補い、蛍光灯に近い拡散のための、ＬＥＤの拡散波形制御装置に関する。
【背景技術】
【０００２】従来、光線を多く拡散させる為に単独光のＬＥＤは、蛍光灯の光線のような光の拡散の力を有する光に比べて劣っている為、より多くの単独光のＬＥＤの設置数量に頼よっていた。
【発明が解決しようとする課題】
【０００３】従来、光を多く拡散させる為に単色光のＬＥＤは、蛍光灯の光のような光の拡散の力を有する点にて劣っている為に、より多くの単独光のＬＥＤの設置数量に頼よっていた。
それ故に多くの単色光のＬＥＤの点灯となり苦慮している。
【課題を解決するための手段】
【０００４】光を多く拡散させる為に単色光のＬＥＤの直線型である波形を蛍光灯の光の如くの拡散波形を有する波形に制御することを特徴とする。
【０００５】単色光のＬＥＤの光線は、直線型の光である為に拡散する光である蛍光灯の光と類似した光線の拡散力を有するＬＥＤの光線の波長を構築しなければならぬ。
【０００６】ＬＥＤの光線は、直線型の光は単独光で同一の光線色の色合いの光線で且つ、同一の波長の範囲内であっても、ピーク波長λｐの違いが生じている。
【０００７】特願  ２００９−１５２９２７
特願  ２００９−１６５１０５
特願  ２０１３−２５９５８１
特願  ２０１４−４９４１３
上記記載「［０００７］」文献特願２００９−１５２９２７、特願  ２００９−１６５１０５には、緑色蛍光灯によるケルダール窒素の増加比較効果が表示されている。
又、上記記載「［０００７］」文献特願２０１３−２５９５８１特願  ２０１４−４９４１３、には設置、設定している単色緑色光の波長ＬＥＤや単色青色光のＬＥＤに、黄色ＬＥＤ光や赤色光ＬＥＤを設置，設定している事が列記されている。
【０００８】「［０００６］」、記載のＬＥＤの特性を利用して同一光を波長範囲内に於いて、ＬＥＤにても、単色光の同一の光線色の波長の範囲内の、同一光線色の当該ＬＥＤの範囲内の波長にて、ピーク波長λＰの違いを有する。
当該ＬＥＤの同じ光線色の範囲内の当該ＬＥＤのピーク波長λＰの違いを有する光線を二種類以上複数の当該ＬＥＤのピーク波長λＰの違う当該ＬＥＤを置き並べ、設置、配置し、当該ＬＥＤに構成することにより、単色光の直線型のＬＥＤの波形を変えることが出来る。
しかるに、蛍光灯の光のような光の拡散の力を有する光に変えられ。
それ故に、当該同一光を発現せしめる波長の範囲において異なる最大ピーク有する複数の単色光ＬＥＤの割合を変えて設置、設定した、当該ＬＥＤ光の拡散波形ＬＥＤを構築した。
【０００９】青色単色光のＬＥＤの波長の範囲は、４３０〜４９０ｎｍ，にて青色光の波長範囲内のＬＥＤのピーク波長は、４５３ｎｍ，４５７ｎｍ，４６６ｎｍのピーク波長を有する当該ＬＥＤのデータとした。
【００１０】赤色単色光のＬＥＤの波長の範囲は、６１０〜７７０ｎｍ，にて赤色光の波長範囲内のＬＥＤのピーク波長は、６２０ｎｍ，６３１ｎｍ，６６３ｎｍのピーク波長を有する当該ＬＥＤのデータとした。
【００１１】緑色単色光のＬＥＤの波長の範囲は、４９０〜５５０ｎｍ，にて緑色光の波長範囲内のＬＥＤのピーク波長は、５１１ｎｍ，５１８ｎｍ，５３０ｎｍのピーク波長を有する当該ＬＥＤのデータとした。
【００１２】青色単色光を有するＬＥＤに於いて当該青色単色光ＬＥＤの同一青色光の波長の範囲にて、異なる最大ピーク波長の波長を有する当該青色単色光ＬＥＤの２種類以上の複数の最大ピークを有する青色波長の当該青色ＬＥＤを置き並べ且つ、当該同一青色光を発現せしめる波長の範囲において異なる最大ピーク有する複数の単色青色光ＬＥＤの割合を変えて設置、配置した、当該青色ＬＥＤの拡散波形制御装置を構築した。
【００１３】赤色単色光を有するＬＥＤに於いて当該赤色単色光ＬＥＤの同一赤色光の波長の範囲にて、異なる最大ピーク波長の波長を有する当該赤色単色光ＬＥＤの２種類以上の複数の最大ピークを有する赤色波長の当該赤色ＬＥＤを置き並べ且つ、当該同一赤色光を発現せしめる波長の範囲において異なる最大ピーク有する複数の単色赤色光ＬＥＤの割合を変えて設置、配置した、当該赤色ＬＥＤの拡散波形制御装置を構築した。
【００１４】緑色単色光を有するＬＥＤに於いて当該緑色単色光ＬＥＤの同一緑色光の波長の範囲にて、異なる最大ピーク波長の波長を有する当該緑色単色光ＬＥＤの２種類以上の複数の最大ピークを有する緑色波長の当該緑色ＬＥＤを置き並べ且つ、当該同一緑色光を発現せしめる波長の範囲において異なる最大ピーク有する複数の単色緑色光ＬＥＤの割合を変えて設置、配置した、当該緑色ＬＥＤの拡散波形制御装置を構築した。
【００１５】青色単色光を有するＬＥＤに於いて当該青色単色光ＬＥＤの同一青色光の波長の範囲にて、異なる最大ピーク波長の波長を有する当該青色単色光ＬＥＤの２種類以上の複数の最大ピークを有する青色波長の当該青色ＬＥＤを置き並べ且つ、当該同一青色光を発現せしめる波長の範囲において異なる最大ピーク有する複数の単色青色光ＬＥＤの割合を変えて設置、配置して、当該青色ＬＥＤの拡散波形制御装置を構築した。
又、当該青色ＬＥＤの同一青色ＬＥＤ波形総量の５％の黄色光のＬＥＤを置き並べ設置、配置し、当該青色ＬＥＤの拡散波形制御装置を構築した。
又当該青色ＬＥＤの同一青色ＬＥＤ波形総量の５％を越え１０％以下の黄色光のＬＥＤを置き並べ、設置、配置して、当該青色ＬＥＤの拡散波形制御装置を構築した。
又、当該青色ＬＥＤの同一青色ＬＥＤ波形総量の５％の赤色光のＬＥＤを置き並べ設置、配置し、当該青色ＬＥＤの拡散波形制御装置を構築した。
又当該青色ＬＥＤの同一青色ＬＥＤ波形総量の５％を越え１０％以下の赤色光のＬＥＤを置き並べ、設置、配置して、当該青色ＬＥＤの拡散波形制御装置を構築した。
【００１６】赤色単色光を有するＬＥＤに於いて当該赤色単色光ＬＥＤの同一赤色光の波長の範囲にて、異なる最大ピーク波長の波長を有する当該赤色単色光ＬＥＤの２種類以上の複数の最大ピークを有する赤色波長の当該赤色ＬＥＤを置き並べ且つ、当該同一赤色光を発現せしめる波長の範囲において異なる最大ピーク有する複数の単色赤色光ＬＥＤの割合を変えて設置、配置して、当該赤色ＬＥＤの拡散波形制御装置を構築した。
又、当該赤色ＬＥＤの同一赤色ＬＥＤ波形総量の５％の黄色光のＬＥＤを置き並べ設置、配置し、当該赤色ＬＥＤの拡散波形制御装置を構築した。
又当該赤色ＬＥＤの同一赤色ＬＥＤ波形総量の５％を越え１０％以下の黄色光のＬＥＤを置き並べ、設置、配置して、当該赤色ＬＥＤの拡散波形制御装置を構築した。
【００１７】緑色単色光を有するＬＥＤに於いて当該緑色単色光ＬＥＤの同一緑色光の波長の範囲にて、異なる最大ピーク波長の波長を有する当該緑色単色光ＬＥＤの２種類以上の複数の最大ピークを有する緑色波長の当該緑色ＬＥＤを置き並べ且つ、当該同一緑色光を発現せしめる波長の範囲において異なる最大ピーク有する複数の単色緑色光ＬＥＤの割合を変えて設置、配置して、当該緑色ＬＥＤの拡散波形制御装置を構築した。
又、当該緑色ＬＥＤの同一緑色ＬＥＤ波形総量の５％の黄色光のＬＥＤを置き並べ設置、配置し、当該緑色ＬＥＤの拡散波形制御装置を構築した。
又当該緑色ＬＥＤの同一緑色ＬＥＤ波形総量の５％を越え１０％以下の黄色光のＬＥＤを置き並べ、設置、配置して、当該緑色ＬＥＤの拡散波形制御装置を構築した。
又、当該緑色ＬＥＤの同一緑色ＬＥＤ波形総量の５％の赤色光のＬＥＤを置き並べ設置、配置し、当該緑色ＬＥＤの拡散波形制御装置を構築した。
又当該緑色ＬＥＤの同一緑色ＬＥＤ波形総量の５％を越え１０％以下の赤色光のＬＥＤを置き並べ、設置、配置して、当該緑色ＬＥＤの拡散波形制御装置を構築した。
【００１８】本発明によれば当該ＬＥＤの緑色光線を有する緑色ＬＥＤの緑色光の波長の範囲にて、異なるピーク波長を有する当該緑色ＬＥＤの直線型の光線を有する同一単色光ＬＥＤを２種類以上設置、配置し、置き並べた当該ＬＥＤの波長に「［０００７］」記載のＬＥＤの特性を利用した当該ＬＥＤに黄色光線を有するＬＥＤを設置、配置し置き並べ、蛍光灯の緑色波長に近い波長を構成させた当該ＬＥＤに変えることが出来る。
【００１９】直線型の同一単色光線の緑色光のＬＥＤと、当該ＬＥＤ緑色光の波長の範囲以内で、緑色ＬＥＤ光の違うピーク波長λＰを有する、当該緑色ＬＥＤを設置、設定し置き並べて、緑色光を拡散させる為の緑色光を有する当該緑色ＬＥＤを構築させた。
当該同一単色光の緑色ＬＥＤの緑色光により光線拡散の度合いの違いをもたらす事が可能になった。
ＬＥＤの点灯灯数の減少を促し、多大の利益となる発明である。
【００２０】表１、表２、表３、表４、表５、表６、表７、表８に基づき説明する。
波形測定は、ＬＥＤ分光放射測定器にて測定波形である。
【００２１】
【表１】
2018082134.tif 000002
【００２２】
【表２】
2018082134.tif 000003
【００２３】
【表３】
2018082134.tif 000004
【００２４】
【表４】
2018082134.tif 000005
【００２５】
【表５】
2018082134.tif 000006
【００２６】
【表６】
2018082134.tif 000007
【００２７】
【表７】
2018082134.tif 000008
【００２８】
【表８】
2018082134.tif 000009
【００２９】「［００２１］」の表１は青色光のＬＥＤの４５７ｎｍのピーク波長の単色光波形である。
「［００２２］」の表２は赤色光のＬＥＤの６６３ｎｍのピーク波長の単色光波形である。
「［００２３］」の表３は緑色光のＬＥＤの５１１ｎｍのピーク波長の単色光波形である。
「［００２４］」の表４は緑色光のＬＥＤの５１８ｎｍのピーク波長の単色光波形である。
「［００２５］」の表５は緑色光のＬＥＤの５３０ｎｍのピーク波長の単色光波形である。
「［００２６］」の表６は青色光の蛍光灯の複合光波形である。
「［００２７］」の表７は赤色光の蛍光灯の複合光波形である。
「［００２８］」の表８は緑色光の蛍光灯の複合光波形である。
【００３０】次に表９、表１０、表１１、表１２に基づき詳細に説明する。
波形測定は、ＬＥＤ分光放射測定器にて測定波形である。
【００３１】
【表９】
2018082134.tif 000010
【００３２】
【表１０】
2018082134.tif 000011
【００３３】
【表１１】
2018082134.tif 000012
【００３４】
【表１２】
2018082134.tif 000013
【００３５】「［００３１］」の表９は４９０ｎｍ〜５５０ｎｍの緑色光の波長の範囲である、「［００２３］」の表３表示のＬＥＤ単色緑色光である、緑色光のＬＥＤの５１１ｎｍのピーク波長λＰを有する当該ＬＥＤと４９０ｎｍ〜５５０ｎｍの緑色光の波長の範囲である、「［００２５］」の表５表示の単色光である、緑色光のＬＥＤの５３０ｎｍのピーク波長λＰを有する当該ＬＥＤとを置き並べ設置配置したＬＥＤの拡散波形を構築した当該ＬＥＤである。
【００３６】「［００３１］」の表９表示の拡散波形のＬＥＤ光を測定すると、波形の山形は、それぞれの「［００２３］」の表３表示のＬＥＤ単色緑色光である、緑色光のＬＥＤの５１１ｎｍのピーク波長λＰを有する当該ＬＥＤ緑色光の波長と、「［００２５］」の表５表示の単色光である、緑色光のＬＥＤの５３０ｎｍのピーク波長λＰを有する当該ＬＥＤ緑色光とを置き並べ設置配置したＬＥＤの拡散波形２種類波形を組み合わせた形で現れる。
当該図形「［００３１］」の表９は、緑色光の波長の範囲４９０ｎｍ〜５５０ｎｍにて、５１１ｎｍピーク波長がピーク波長５３０ｎｍよりＬＥＤの設置、設定割合が多く、照度が強かった為に、２つ山形の内ピーク波形５１１ｎｍの山形が大きくなる。
【００３７】単独光の緑色光の波長の表示「［００２３］」表３のＹ軸方向の目盛１のピーク波長５１１ｎｍである。
単独光の緑色光の波長の表示「［００２５］」表５Ｙ軸方向の目盛１のピーク波長５３０ｎｍである。
表３、表５共に最大ピークがＹ軸方向にて目盛１である。
しかし、「［００３１］」の表９、複合波形を構築した時には、ピーク波長は相対値となり、２種類の山形の波形の照度の差により、照度の大きい波長と照度の小さい差により２つの山形となる。
【００３８】しかし、緑色光の波長の範囲内にて、同照度で最大ピーク波長は２種類の波形が両方ともに同じ山形になることを条件となるのは、希有な事象である。
【００３９】「［００３２］」の表１０は４９０ｎｍ〜５５０ｎｍの緑色光の波長の範囲内である、「［００２３］」の表３表示の単色光である、緑色光のＬＥＤの５１１ｎｍのピーク波長λＰを有する当該ＬＥＤと４９０ｎｍ〜５５０ｎｍの緑色光の波長の範囲である、「［００２４］」の表４表示の単色光である、緑色光のＬＥＤの５１８ｎｍのピーク波長λＰを有する当該ＬＥＤと４９０ｎｍ〜５５０ｎｍの緑色光の波長の範囲である、「［００２５］」の表５表示の単色光である、緑色光のＬＥＤの５３０ｎｍのピーク波長λＰを有する当該ＬＥＤとを、置き並べ設置、配置したＬＥＤの拡散波形を構築した「［００３２］」、表１０記載の当該ＬＥＤの波形である。
【００４０】「［００３１］」の表９、「［００３２］」記載の表１０表示の如く、同一波長の範囲の２つ以上の光線の波長にて拡散波形を構築した場合、波形の大きさは、同一光単色光のピーク波長のＬＥＤの設置、設定の割合に依存して、照度の大きい順に波形の山形の大きさが決まる。
【００４１】次に、ＬＥＤの緑色波長の範囲内の緑色単色光線の「［００２３］」の表３の緑色光線のピーク波長５１１ｎｍとＬＥＤの緑色波長の範囲内の緑色単色光の「［００２５］」の表５の緑色光線のピーク波長５３０ｎｍとの当該ＬＥＤの拡散波形すなわち、「［００３１］」の表９を構築した。
複合波形により光を拡散できる緑色光を有する蛍光灯の光に近い複合光を構築する当該ＬＥＤの拡散波形制御装置に関する。
【００４２】パナソニック電工株式会社の平成２１年６月発行のカタログ
パナソニック電工株式会社の平成２０年１０月発行のカタログ
【００４３】次にＬＥＤの緑色波長の範囲内の緑色単独光線の「［００２３］」の表３の緑色光線のピーク波長λＰ５１１ｎｍとＬＥＤの緑色波長の範囲内の緑色単色光線の「［００２５］」の表５の緑色光線のピーク波長λＰ５３０ｎｍとの当該ＬＥＤの拡散波形すなわち、「［００３１］」の表９を構築した。
【００４４】「［００３１］」の表９のＬＥＤ拡散波形を構築した。
拡散波形を有する緑色光の当該ＬＥＤ総数の５％を保持した黄色光のＬＥＤを置き並べ設置設定したＬＥＤの拡散波形装置を構築して、「［００３３］」の表１１にて表示した。
【００４５】「［００３１］」の表９のＬＥＤ拡散波形を構築した。
拡散波形を有する緑色光の当該ＬＥＤ総数の５％を越え１０％以下を保持した黄色光のＬＥＤを置き並べ設置設定したＬＥＤの拡散波形装置を構築して、「［００３４］」の表１２にて表示した。
【００４６】「［０００７］」特願  ２０１３−２５９５８１、特願  ２０１４−４９４１３
上記記載の文献にて直線型の単色光の緑色ＬＥＤの波長にＬＥＤの黄色光線を置き並べ設置配置し、拡散波形装置を構築し当該ＬＥＤである。
【００４７】しかし当発明は、ＬＥＤの直線型の単色光線の緑色ＬＥＤの波長を同一緑色の波長の範囲内の緑色ＬＥＤのピーク波長を有する、直線型の単色光線の緑色ＬＥＤの波長の２種類以上複数の直線型の単独光線の緑色ＬＥＤを置き並べ設置、設定して直線形である波長を複合波形にし、緑色の光を拡散形にした独自の拡散波形を構築した当該ＬＥＤであります。
【００４８】「［００３１］」の記載表９拡散波形を有する当該緑色ＬＥＤに、黄色ＬＥＤの５％を置き並べ設置配置することにより「［００３３］」記載の表１１の当該ＬＥＤの拡散波形になる。
【００４９】「［００４２］」記載のパナソニック電工株式会社の平成２１年６月発行のカタログ  パナソニック電工株式会社の平成２０年１０月発行のカタログの表示の如く黄色の波長域は植物の開花を維持と表示されております。又赤色の波長域は植物の花芽形成が表示されております。
【００５０】当該拡散波形のＬＥＤの波長域においての開花維持の領域、「［００３１］」表９のＬ０の領域が「［００３１］」の記載表９拡散波形の当該緑色ＬＥＤ総数の黄色ＬＥＤ５％を置き並べ設置、設置することにより「［００３３］」記載の表１１のＬ０の開花維持領域の黄色光の波形は、変化する、しかしのＬ１の花芽形成の波長域は、波長域には、「［００３１］」記載の表９、「［００３３］」記載の表１１のＬ１変化の影響は無い。
【００５１】しかるに、［００２８］記載の表８の緑色蛍光灯の如く、植物に点灯照射するときには、花芽分化に影響無く利用可能な拡散波形制御装置が構築出来た。
【００５２】次に「［００３１］」の記載表９拡散波形が当該緑色ＬＥＤ総数の５％を越え１０％以下黄色ＬＥＤを置き並べ、設置配置することにより「［００３４］」記載の表１２の当該ＬＥＤ緑色拡散波形になる。
【００５３】「［００４２］」記載のパナソニック電工株式会社の平成２１年６月発行のカタログ  パナソニック電工株式会社の平成２０年１０月発行のカタログの表示の如く黄色の波長域は植物の開花を維持と表示されております。
赤色の波長域は葉の展開、花芽形成と表示されております。
【００５４】当該拡散波形のＬＥＤの波長域において「［００３１］」表９のＬ０とＬ１の領域が「［００５０］」記載の如く、「［００３１］」の記載表９複合波形が当該緑色ＬＥＤ総数の黄色ＬＥＤの５％の割合を５％を越え１０％以下にして、置き並べ設置、配置することにより「［００３３］」記載の表１１のＬ０の領域の波形の黄色光有する波形がＹ軸方向に大きく変化する、又のＬ１の葉の展開、花芽形成の波長域は、「［００３１］」記載の表９、の波形比べると、「［００３３］」記載の表１１のＬ１の赤色の領域の変化が大きく出る。
【００５５】しかるに、花芽分化に影響無い植物育成中の時期や、花芽形成に影響無い植物、又植物の生産の為の生育スピードを上げるための利用可能な拡散波形制御装置が構築出来た。
【００５６】「［０００７］」記載には、
特願  ２００９−１５２９２７
特願  ２００９−１６５１０５
特願  ２０１３−２５９５８１
特願  ２０１４−４９４１３
上記記載「［０００７］」文献特願２００９−１５２９２７、特願００９−１６５１０５には、緑色蛍光灯によるケルダール窒素の増加比較効果が表示されている。
又、上記記載「［０００７］」文献特願２０１３−２５９５８１特願  ２０１４−４９４１３、には設置、設定している単色緑色光の波長ＬＥＤや単色青色光のＬＥＤに、黄色ＬＥＤ光や赤色光ＬＥＤを設置，設定している事が列記されている。
【００５７】上記記載「［００５６］」の如く、緑色蛍光灯の拡散効果が、ＬＥＤによる、拡散波形制御装置が構築出来たことにより、省電力効果により、茶類生産等、ぶどう、もも、梨等果樹類、花卉類、大豆、馬鈴薯、甘藷等多くの広い圃場にて、夜間点灯し、植物体内に、栄養濃度を高めた、生産が可能になった。
【００５８】又、上記記載「［００５６］」の如く、緑色蛍光灯の拡散効果が、ＬＥＤによる、拡散波形制御装置が構築出来たことにより、省電力効果にもなった。
病害虫防除にも利用可能になった。
【００５９】緑色蛍光灯の拡散光線効果に近い拡散効果を、ＬＥＤ緑色光を発現せしめる波長範囲内に於いて、異なる最大ピーク波長を有する複数の単色緑色光ＬＥＤの、割合を変え設置、設定した、当該緑色ＬＥＤ光の拡散波形装置を構築した。
【００６０】次にいちご植物育苗ハウス内に於いて、実施例に基づいて以下説明する。
［図１］は、間口６ｍ奥行２４ｍのいちご育苗ハウスの平面図である。
［図２］は、間口６ｍの育苗ハウスのａ−ａ矢視図の立面図のである。
［図３］は、間口６ｍの育苗ハウスのｂ−ｂ矢視図の立面図のである。
［図４］は、間口６ｍの育苗ハウスのｃ−ｃ矢視図の立面図のである。
［図５］は、間口６ｍの育苗ハウスのｄ−ｄ矢視図の立面図のである。
［図６］は、間口６ｍの育苗ハウスのｅ−ｅ矢視図の立面図のである。
「［図１］」には緑色蛍光灯Ａ，緑色ＬＥＤ  Ｂ，緑色ＬＥＤの総量の５％の黄色ＬＥＤを設置、設定した、ＬＥＤ  Ｃ，異なる最大ピーク波長を有する複数の単色緑色光ＬＥＤを、割合を変え設置、設定した、当該拡散波形の緑色ＬＥＤ  Ｄ，無灯光Ｅ，を表示した。
【００６１】図１には、緑色蛍光灯Ａ，緑色ＬＥＤ  Ｂ，緑色ＬＥＤの総量の５％の黄色ＬＥＤを設置、設定した、ＬＥＤ  Ｃ，異なる最大ピーク波長を有する複数の単色緑色光ＬＥＤの、割合を変え設置、設定した、当該拡散波形の緑色ＬＥＤ  Ｄ，無灯光Ｅ，を表示し、Ｉ，ＩＩ，ＩＩＩ，ＩＶ，Ｖの各光線の領域において、光線を隣の領域に影響をもたらさぬ様にＩとＩＩとの境に遮光カーテン▲１▼を設置、ＩＩとＩＩＩとの境に遮光カーテン▲２▼を設置，ＩＩＩとＩＶとの境に遮光カーテン▲３▼を設置、ＩＶとＶの境に遮光カーテン▲４▼を設置した。
【００６２】Ｉ，ＩＩ、ＩＩＩ、ＩＶ、Ｖの各光線の領域を設けて緑色蛍光灯Ａ，緑色ＬＥＤ  Ｂ，緑色ＬＥＤの総量の５％の黄色ＬＥＤを設置、設定した、ＬＥＤ  Ｃ，異なる最大ピーク波長を有する複数の単色緑色光ＬＥＤを、割合を変え設置、設定した、当該拡散波形の緑色ＬＥＤ  Ｄ，無灯光Ｅ，を設定した。
表２、光線の領域Ｉ光源下にいちご植物苗２、光源から離れた位置サイドにいちご植物苗１，３を置き並べた。
表３、光線の領域ＩＩ光源下にいちご植物苗５、光源から離れた位置サイドにいちご植物苗４，６を置き並べた。
表４、光線の領域ＩＩＩ光源下にいちご植物苗８、光源から離れた位置サイドにいちご植物苗７，９を置き並べた。
表５、光線の領域ＩＶ光源下にいちご植物苗１１、光源から離れた位置サイドにいちご植物苗１０，１２を置き並べた。
表６、光線の領域Ｖ無光源下にいちご植物苗１４、光源から離れた位置サイドにいちご植物苗１３、１５を置き並べた。
又無灯光にいちご育苗苗１３，１４，１５を置き並べた、各光線の領域Ｉ，ＩＩ、ＩＩＩ、ＩＶ、Ｖのいちご植物苗に、緑色蛍光灯Ａ，緑色ＬＥＤ  Ｂ，緑色ＬＥＤの総量の５％の黄色ＬＥＤを設置、設定した、ＬＥＤ  Ｃ，異なる最大ピーク波長を有する複数の単色緑色光ＬＥＤを、割合を変え設置、設定した、当該拡散波形の緑色ＬＥＤ  Ｄ，無灯光Ｅ，の光の点灯を促し、領域Ｉには，緑色蛍光灯Ａ領域ＩＩには、緑色ＬＥＤ  Ｂ領域ＩＩＩには、緑色ＬＥＤの総量の５％の黄色ＬＥＤを設置、設定した、ＬＥＤ  Ｃ，領域ＩＶには、異なる最大ピーク波長を有する複数の単色緑色光ＬＥＤを、割合を変え設置、設定した、当該拡散波形の緑色ＬＥＤ  Ｄ，領域Ｖには、無灯光した、夜間又は暗黒条件にて点灯していちご植物の葉体内のケルダール窒素増加量を比較測定した。
【００６３】本発明の実施形態を、タンパク質の定量法としては、精度の高い方法として燃焼後に窒素量を測定するデルマ法と、硫酸分解後にアンモニア量を測定するケルダール法等があります。当発明の基準になった測定法は、後者の方法でいちごの葉柄、葉体をＨＡＣＨ社製ダイジェスタール２３１３０−２０型で強酸の硫酸にて４４０度Ｃにて煮沸させながら強酸化剤過酸化水素水を点滴し、２段階分解後にサンプルを取り出し、ＨＡＣＨ社製分光光度計３０００Ｒにてアンモニア量を測定するゲルタール法に基づくものであり，精度の高いタンパク質の定量法にて測定を行なっています。
【００６４】いちご植物苗の育成中の葉柄、葉体内のケルダール窒素の量すなわち、タンパク質の量が、緑色蛍光灯Ａの光線の照射、緑色ＬＥＤ  Ｂの光線の照射、緑色ＬＥＤの総量の５％の黄色ＬＥＤを設置、設定した、当該ＬＥＤ  Ｃの光線の照射，異なる最大ピーク波長を有する複数の単色緑色光ＬＥＤを、割合を変え設置、設定した、当該拡散波形の緑色ＬＥＤ  Ｄの光線の照射，無灯光線Ｅ，各照射領域Ｉ、ＩＩ、ＩＩＩ、ＩＶ、Ｖ但しＶは、（無点灯）光線の照射，照射無等の違いによる、植物の体内にタンパク質の増加する効果が、Ｉ，ＩＩ，ＩＩＩ，ＩＶ，Ｖの各光の異なる領域において、光源の下、光源から離れたサイド位置、各領域内いちご植物苗のケルダール窒素の増加割合違いの比較を各光源の各光線効果による、ケルダール窒素含有量の増減割合等の差を調べて表１３に表示した。
【００６５】
【表１３】
2018082134.tif 000014
【００６６】表１３より考察する。
Ｉ照射領域の緑色蛍光灯は、光源下・・１４５ｐｐｍ
Ｉ照射領域の緑色蛍光灯は、光源サイド・・１４３ｐｐｍ
ＩＩ照射領域の緑色ＬＥＤは、光源下・・１０８ｐｐｍ
ＩＩ照射領域の緑色ＬＥＤは、光源サイド・・９８ｐｐｍ
ＩＩＩ照射領域の緑色ＬＥＤ＋黄色は、光源下・・１３５ｐｐｍ
ＩＩＩ照射領域の緑色ＬＥＤ＋黄色は、光源サイド・・１２８ｐｐｍ
ＩＶ照射領域の緑色ＬＥＤ拡散＋黄色は、光源下・・１４０ｐｐｍ
ＩＶ照射領域の緑色ＬＥＤ拡散＋黄色は、光源サイド・・１３６ｐｐｍ
Ｖ無照射・・・８０ｐｐｍ
【００６７】Ｉ、ＩＩ、ＩＩＩ、ＩＶの照射領域において、緑色蛍光灯の拡散度合いを各光源の違いを、ケルダール窒素の葉体内に含有する量の差により、測定して拡散効果の差を考察した。
Ｉ照射領域の緑色蛍光灯は、光源下・・１４５ｐｐｍとＩ照射領域の緑色蛍光灯は、光源サイド・・１４３ｐｐｍの差は、２ｐｐｍである。
ＩＩ照射領域の緑色ＬＥＤは、光源下・・１０８ｐｐｍとＩＩ照射領域の緑色ＬＥＤは、光源サイド・・９８ｐｐｍの差は、１０ｐｐｍである。
ＩＩＩ照射領域の緑色ＬＥＤ＋黄色は、光源下・・１３５ｐｐｍとＩＩＩ照射領域の緑色ＬＥＤ＋黄色は、光源サイド・・１２８ｐｐｍの差は、７ｐｐｍである。
ＩＶ照射領域の緑色ＬＥＤ拡散＋黄色は、光源下・・１４０ｐｐｍとＩＶ照射領域の緑色ＬＥＤ拡散＋黄色は、光源サイド・・１３６ｐｐｍの差は、４ｐｐｍである。
【００６８】以上考察をする。
Ｉ照射領域の緑色蛍光灯のケルダール窒素の差は、２ｐｐｍ。
ＩＩ照射領域の緑色ＬＥＤのケルダール窒素の差は、１０ｐｐｍ。
ＩＩＩ照射領域の緑色ＬＥＤ＋黄色のケルダール窒素の差は、７ｐｐｍ。
ＩＶ照射領域の緑色ＬＥＤ拡散＋黄色のケルダール窒素の差は、４ｐｐｍ。
以上上記データの基に比較すると、Ｉ照射領域の緑色蛍光灯の２ｐｐｍの値は、Ｉ領域にて、緑色蛍光灯の光の拡散効果により、全体のいちご育苗の植物苗に十分に光線照射された効果がケルダール窒素濃度の差として、表れている。
ＩＩ照射領域の緑色ＬＥＤは，ＬＥＤ本来の直線形の光の為に光源とサイドとの差として、ケルダール窒素の差１０ｐｐｍとして大きく、他の光源の光の差の点では拡散の点にては劣っている。
ＩＩＩ照射領域の緑色ＬＥＤ＋黄色のケルダール窒素の差は、７ｐｐｍとして大きいな差は、緑色ＬＥＤ本来の光線形の光の為にケルダール窒素の差が大きく表れている。
ＩＶ照射領域の緑色ＬＥＤ拡散＋黄色のデータ４ｐｐｍは、上記データの中に於いて、ＬＥＤの直線形の光を拡散させた効果が緑色ＬＥＤ拡散＋黄色により緑色蛍光灯の拡散効果に非常に近い効果として、構築出来た。
【図面の簡単な説明】
【図１】は、いちご植物育苗ハウス平面図。
【図２】は、「［図１］」いちご植物育苗ハウス平面図のａ−ａ矢視図の立面図。
【図３】は、「［図１］」いちご植物育苗ハウス平面図のｂ−ｂ矢視図の立面図。
【図４】は、「［図１］」いちご植物育苗ハウス平面図のｃ−ｃ矢視図の立面図。
【図５】は、「［図１］」いちご植物育苗ハウス平面図のｄ−ｄ矢視図の立面図。
【図６】は、「［図１］」いちご植物育苗ハウス平面図のｅ−ｅ矢視図の立面図。
【符号の説明】Ａは、緑色蛍光灯。
Ｂは、緑色ＬＥＤ。
Ｃは、緑色ＬＥＤの総量の５％の黄色ＬＥＤを設置、設定したＬＥＤ。
Ｄは、異なる最大ピーク波長を有する複数の単色緑色光ＬＥＤを、割合を変え設置、設定した、当該拡散波形の緑色ＬＥＤ。
Ｅは、無灯光。
Ｉは、緑色蛍光灯の光源直下にていちご植物苗２、光源から離れた位置サイドにいちご植物苗１，３を置き並べて緑色蛍光灯の光源にて照射する光源の領域。
ＩＩは、緑色ＬＥＤの光源直下にていちご植物苗５、光源から離れた位置サイドにいちご植物苗４，６を置き並べて緑色ＬＥＤの光源にて照射する光源の領域。
ＩＩＩは、緑色ＬＥＤ  Ｂ，緑色ＬＥＤの総量の５％の黄色ＬＥＤを設置、設定した、ＬＥＤ  Ｃの光源直下にてのいちご植物苗８、光源から離れた位置サイドにいちご植物苗７，９を置き並べて緑色ＬＥＤの光源にて照射する光源の領域。
ＩＶは、異なる最大ピーク波長を有する複数の単色緑色光ＬＥＤの、割合を変え設置、設定した、当該拡散波形の緑色ＬＥＤ  Ｄの光源直下にてのいちご植物苗１１、光源から離れた位置サイドにいちご植物苗１０，１２を置き並べて緑色ＬＥＤの光源にて照射する光源の領域。
Ｖは、無灯光Ｅにていちご植物苗１４、中心部から離れた位置サイドにいちご植物苗１３，１５を置き並べた領域。
▲１▼ＩとＩＩとの境に遮光カーテン。
▲２▼ＩＩとＩＩＩとの境に遮光カーテン。
▲３▼ＩＩＩとＩＶとの境に遮光カーテン。
▲４▼ＩＶとＶの境に遮光カーテン。
１，２，３，４，５，６，７，８，９，１０，１１，１２，１３，１４，１５いちご植物苗。
【図１】
2018082134.tif 000015
【図２】
2018082134.tif 000016
【図３】
2018082134.tif 000017
【図４】
2018082134.tif 000018
【図５】
2018082134.tif 000019
【図６】
2018082134.tif 000020